(57)【要約】【課題】可撓性を有する反射部材の平坦度を向上させ、軽量化、及び低コスト化が図れる光学装置、及びプロジェクタを提供すること。【解決手段】複数の色光を色光毎に画像情報に応じて変調する複数の反射型光変調装置と、反射型光変調装置に照射される光束及び反射型光変調装置で変調された光束を偏光分離する複数の可撓性を有するワイヤグリッド４４１と、複数の反射型光変調装置にて変調された色光毎の変調光を合成し画像光を形成するクロスダイクロイックプリズム４４３と、ワイヤグリッド４４１を保持する保持部材５と、保持部材５のワイヤグリッド４４１を保持する保持面５２１とワイヤグリッド４４１との間に介装され、ワイヤグリッド４４１の平坦度を調整する調整部材７とを備える構成とした。従って、調整部材７をワイヤグリッド４４１と保持面５２１との間に介装し、ワイヤグリッド４４１の平坦度を向上できる。【選択図】図３
2010072539.tif 000002
【特許請求の範囲】
【請求項１】
複数の色光を色光毎に画像情報に応じて変調する複数の光変調装置と、
前記光変調装置に照射される光束及び前記光変調装置で変調された光束を偏光分離する複数の可撓性を有する反射部材と、
前記複数の光変調装置にて変調された前記色光毎の変調光を合成する色合成光学装置と、
前記反射部材を保持する保持部材と、
前記保持部材の前記反射部材を保持する保持面と前記反射部材との間に介装され、前記反射部材の平坦度を調整する調整部材とを備える
ことを特徴とする光学装置。
【請求項２】
請求項１に記載の光学装置において、
前記反射部材を前記保持部材に固定する固定部材を備える
ことを特徴とする光学装置。
【請求項３】
請求項１または請求項２に記載の光学装置において、
前記調整部材は、楔状に形成される先端部を有している
ことを特徴とする光学装置。
【請求項４】
請求項３に記載の光学装置において、
前記調整部材が前記保持面に対して回動自在に軸支される軸部材を備える
ことを特徴とする光学装置。
【請求項５】
請求項１から請求項３のいずれかに記載の光学装置において、
前記保持部材には、前記保持面に対して交差する方向に複数の突起部が延出され、
前記突起部には、前記反射部材が当接し、
前記反射部材と前記保持面との間に形成される空間には、前記調整部材が介装される
ことを特徴とする光学装置。
【請求項６】
光源装置と、
前記光源装置から射出された光を複数の色光に分離する色分離光学装置と、
請求項１から請求項３のいずれかに記載の光学装置と、
当該光学装置により合成された光束を投射する投射光学装置とを備える
ことを特徴とするプロジェクタ。
【発明の詳細な説明】
【技術分野】
【０００１】
本発明は、光学装置及びプロジェクタに関する。
【背景技術】
【０００２】
従来、光源装置、赤（Ｒ），緑（Ｇ），青（Ｂ）の３つの色光毎に設けられる複数の光変調装置、及び、各光変調装置により変調された各色光を合成する色合成光学装置としてのクロスダイクロイックプリズムとを備える、いわゆる反射型３板式プロジェクタが知られている（例えば、特許文献１参照）。
このプロジェクタの光学装置として、光変調装置に照射される光束及び当該光変調装置で変調された光束を偏光分離する反射部材（ＰＢＳ：Polarized Beam Splitter）、及び当該反射部材を保持する保持部材を備えるものがある。当該反射部材は、プロジェクタの軽量化のために、フィルム状の可撓性を有する材料を用いることが考えられる。
【０００３】
【特許文献１】特開２００４−２９２５１号公報
【発明の開示】
【発明が解決しようとする課題】
【０００４】
しかしながら、特許文献１に記載のプロジェクタでは、反射部材と保持部材とを接着剤で固定すると、可撓性を有する反射部材は、接着力によって保持部材に対して反りが発生しやすい。また、反射部材と保持部材とをバネ等の固定部材で固定すると、可撓性を有する反射部材は、保持部材の接触する面（保持面）の表面上の歪みによって、反りが発生しやすい。このように、反射部材に反りが生じると、反射部材の平坦度が低下するため、反射部材は、偏光分離された光束の反射を適切に行なえず、投射画像に歪みが生じるという問題がある。そこで、投射画像の歪みを抑制するために、反射部材を剛性のあるガラスに固定して歪みを防止することが考えられるが、この剛性のあるガラスは、重量が重く、またコストがかかるという問題がある。
【０００５】
本発明の目的は、可撓性を有する反射部材の平坦度を向上させ、軽量化及び低コスト化が図れる光学装置及びプロジェクタを提供することである。
【課題を解決するための手段】
【０００６】
本発明の光学装置は、複数の色光を色光毎に画像情報に応じて変調する複数の光変調装置と、前記光変調装置に照射される光束及び前記光変調装置で変調された光束を偏光分離する複数の可撓性を有する反射部材と、前記複数の光変調装置にて変調された前記色光毎の変調光を合成する色合成光学装置と、前記反射部材を保持する保持部材と、前記保持部材の前記反射部材を保持する保持面と前記反射部材との間に介装され、前記反射部材の平坦度を調整する調整部材とを備えることを特徴とする。
【０００７】
本発明によれば、可撓性を有する反射部材と反射部材を保持する保持部材との間には、調整部材が介装されている。このことにより、可撓性を有する反射部材が、保持面の歪みによって歪みを生じた場合、反射部材の平坦度を調整する調整部材を、反射部材と保持面との間に介装して、歪みを補正し、反射部材の平坦度を向上できる。例えば、反射部材に歪みを生じた位置に、調整部材を介装し、反射部材を保持部材から離間させて調整部材に接着剤等で固定することで、反射部材が保持面の歪みの影響を受けることを抑制できる。そして、調整部材により、反射部材の歪みを補正し、反射部材の平坦度を向上できる。調整部材が反射部材と保持面との間に介装されることで、例えば、可撓性を有する反射部材を剛性のあるガラスに固定する必要がなく、光学装置を軽量化、及び低コスト化することができる。
【０００８】
本発明では、前記反射部材を前記保持部材に固定する固定部材を備えることが好ましい。
本発明によれば、反射部材は、固定部材を用いて保持部材に固定されるので、例えば、反射部材を保持部材に接着剤等で固定するよりも、より強固に固定でき、反射部材の保持面に対するずれを防止できる。
【０００９】
本発明では、前記調整部材は、楔状に形成される先端部を有していることが好ましい。
本発明によれば、調整部材の先端部が楔状に形成されるので、例えば、反射部材に歪みを生じる場合に、反射部材と保持面との間に楔状の調整部材を差し込みやすく、反射部材と保持面との間に空間を生じさせて、反射部材の歪みを補正することができる。
【００１０】
本発明では、前記調整部材が前記保持面に対して回動自在に軸支される軸部材を備えることが好ましい。
本発明によれば、例えば、楔状の調整部材を予め、反射部材と保持面との間に介装し、調整部材を回動させると、調整部材の楔状の先端部により反射部材と保持面との間の隙間を拡大することができる。すなわち、反射部材は、保持面の表面上の歪みの影響を抑制して、反射部材の歪みを補正できる。
【００１１】
本発明では、前記保持部材には、前記保持面に対して交差する方向に複数の突起部が延出され、前記突起部には、前記反射部材が当接し、前記反射部材と前記保持面との間に形成される空間には、前記調整部材が介装されることが好ましい。
本発明によれば、保持面に対して交差する方向に複数の突起部が延出されるので、反射部材は突起部に当接して、保持部材に固定されることとなる。この際、反射部材と保持面との間に空間が形成されるので、この空間に調整部材を容易に介装でき、反射部材の歪みを簡易に補正できる。
【００１２】
本発明では、光源装置と、前記光源装置から射出された光を複数の色光に分離する色分離光学装置と、請求項１から請求項３のいずれかに記載の光学装置と、当該光学装置により合成された光束を投射する投射光学装置とを備えることを特徴とする。
本発明によれば、プロジェクタは、上述した光学装置を備えているので、上述した光学装置と同様の作用および効果を享受できる。また、上述した光学装置によれば、剛性のあるガラスに反射部材を固定する必要がなく、プロジェクタを軽量化、及び低コスト化することができる。
【発明を実施するための最良の形態】
【００１３】
以下、本発明に係る第１実施形態を図面に基づいて説明する。
〔第１実施形態〕
［プロジェクタの構造］
図１は、本実施形態にかかるプロジェクタ１の構造を示す図である。
プロジェクタ１は、光源から射出された光束を画像情報に応じて変調してカラー画像を形成し、形成したカラー画像を図示しないスクリーン上に拡大投射する。このプロジェクタ１は、図１に示すように、外装筐体２と、投射レンズ３と、光学ユニット４とを備える。
外装筐体２内には、投射光学装置としての投射レンズ３及び光学ユニット４を備える。
投射レンズ３は、複数のレンズを組み合わせた組レンズとして構成され、光学ユニット４にて形成されたカラー画像をスクリーン上に拡大投射する。  
【００１４】
光学ユニット４は、前記制御装置による制御の下、光源から射出された光束を画像情報に応じて変調してカラー画像を形成するユニットである。この光学ユニット４は、図１に示すように、光源装置４１と、照明光学装置４２と、色分離光学装置４３と、光学装置４４等を備える。
光源装置４１は、光源ランプ４１１、リフレクタ４１２及びＵＶ−ＩＲフィルタ４１３を備える。光源ランプ４１１から射出された光束は、リフレクタ４１２によって射出方向が揃えられ、ＵＶ−ＩＲフィルタ４１３を介して照明光学装置４２に向けて射出される。なお、ＵＶ−ＩＲフィルタ４１３は、紫外領域及び赤外領域の光束を吸収または反射し、その他の光束を透過するものである。
【００１５】
照明光学装置４２は、第１レンズアレイ４２１、第２レンズアレイ４２２、偏光変換素子４２３、及び重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４４の後述する３つの各反射型光変調装置４４２上で重畳する。
【００１６】
色分離光学装置４３は、青色光（Ｂ光）を反射するＢ光反射ダイクロイックミラー４３１Ａ及び緑色光（Ｇ光）、赤色光（Ｒ光）を反射するＧＲ光反射ダイクロイックミラー４３１ＢがＸ字状に配置されたクロスダイクロイックミラー４３１、緑色光を反射するＧ光反射ダイクロイックミラー４３２、及び２枚の反射ミラー４３３，４３４を備える。そして、色分離光学装置４３は、照明光学装置４２から射出された複数の部分光束を赤（Ｒ）、緑（Ｇ）、青（Ｂ）の３色の色光に分離する。
具体的に、照明光学装置４２から射出された複数の部分光束は、クロスダイクロイックミラー４３１に入射し、青色光成分がＢ光反射ダイクロイックミラー４３１Ａにて反射し、緑色光成分と赤色光成分とがＧＲ光反射ダイクロイックミラー４３１Ｂにて反射し、青色光成分と緑色光成分及び赤色光成分とに分離される。
【００１７】
クロスダイクロイックミラー４３１にて分離された青色光は、反射ミラー４３３で反射し、光学装置４４を構成する後述するワイヤグリッド４４１Ｂに入射する。
また、クロスダイクロイックミラー４３１にて分離された緑色光及び赤色光は、反射ミラー４３４で反射した後、Ｇ光反射ダイクロイックミラー４３２に入射する。Ｇ光反射ダイクロイックミラー４３２に入射した緑色光及び赤色光のうち、緑色光は、Ｇ光反射ダイクロイックミラー４３２によって反射し、光学装置４４を構成する後述するワイヤグリッド４４１Ｇに入射する。一方、赤色光は、Ｇ光反射ダイクロイックミラー４３２を透過して、光学装置４４を構成する後述するワイヤグリッド４４１Ｒに入射する。
【００１８】
光学装置４４は、入射した光束を画像情報に応じて変調して、カラー画像を形成するものである。この光学装置４４は、反射部材としての３つのワイヤグリッド４４１と、３つの反射型光変調装置４４２と、色合成光学装置としてのクロスダイクロイックプリズム４４３と、光学素子としての３つの偏光板４４４（各色光側の偏光板を４４４Ｒ、４４４Ｇ、４４４Ｂとする）とを備える。
【００１９】
３つのワイヤグリッド４４１（赤色光側のワイヤグリッドを４４１Ｒ、緑色光側のワイヤグリッドを４４１Ｇ、青色光側のワイヤグリッドを４４１Ｂとする）は、可撓性を有し、格子構造に基づく回折により入射した光束を偏光分離する。各ワイヤグリッド４４１は、入射光束の光軸に対して略４５°傾斜した状態で配置される。そして、各ワイヤグリッド４４１は、入射した光束のうち、偏光変換素子４２３で揃えられた偏光方向と略同一の偏光方向を有する偏光光を透過させ、前記偏光方向に直交する偏光方向を有する偏光光を反射させ、入射した光束を偏光分離する。各ワイヤグリッド４４１は、各保持部材５（図２）に固定部材６（図３）で固定される。保持部材５（図２）は、ワイヤグリッド４４１を保持するものであり、詳細については後述する。
【００２０】
各反射型光変調装置４４２（ワイヤグリッド４４１と同様に、各色光側の反射型光変調装置を４４２Ｒ，４４２Ｇ，４４２Ｂとする）は、各ワイヤグリッド４４１を透過した光束の光軸に対して略直交した状態で配置される。反射型光変調装置４４２は、ワイヤグリッド４４１を透過した偏光光束の偏光方向を変調し、ワイヤグリッド４４１に向けて反射する。ワイヤグリッドに向けて反射された光束は、偏光変換素子４２３で揃えられた偏光方向に直交する偏光方向を有する偏光光のみがワイヤグリッド４４１にて反射される。
【００２１】
各偏光板４４４は、クロスダイクロイックプリズム４４３の後述する光束入射面４４３１にそれぞれ対向して配設され、各ワイヤグリッド４４１にて反射された偏光方向と同一方向の偏光方向の直線偏光光を透過させる。すなわち、ワイヤグリッド４４１及び偏光板４４４の双方を用いることで、ワイヤグリッド４４１にて所望の直線偏光光以外の偏光成分が反射された場合であっても、偏光板４４４にて前記偏光成分を除去する構成を採用している。
【００２２】
クロスダイクロイックプリズム４４３（以下、「プリズム４４３」と略す場合がある）は、各ワイヤグリッド４４１にて反射された各色光がそれぞれ入射される光束入射面４４３１（各色光側の端面を４４３１Ｒ，４４３１Ｇ，４４３１Ｂとする）と、入射した各色光を合成してカラー画像を形成し、光束を射出する光束射出面４４３２とを有する。このプリズム４４３は、４つの直角プリズムを貼り合わせた平面視略正方形状をなし、直角プリズム同士を貼り合わせた界面には、２つの誘電体多層膜が形成されている。これら誘電体多層膜は、ワイヤグリッド４４１Ｇにて反射された緑色光を透過し、各ワイヤグリッド４４１Ｒ，４４１Ｂにて反射された赤、青色光をそれぞれ反射する。このようにして、各色光が合成されてカラー画像が形成される。そして、プリズム４４３で形成されたカラー画像は、光束射出面４４３２から射出され、上述した投射レンズ３によりスクリーンへ拡大投射される。  
【００２３】
［保持部材の構造］
図２は、ワイヤグリッド４４１及び保持部材５を示す斜視図であり、図３は、ワイヤグリッド４４１が調整部材７を介して保持部材５に保持される状態を示す図である。より具体的に、図３（Ａ）は、当該状態を示す正面図であり、図３（Ｂ）は、当該状態を示す側面図である。
保持部材５は、ワイヤグリッド４４１と光変調装置４４２との間に設けられ、ワイヤグリッド４４１及び光変調装置４４２を保持する。この保持部材５は、図２に示すように、保持部材本体５１と、枠部５２とを備える。なお、保持部材５は、特に図示していないが、外装筐体２の内部のワイヤグリッド４４１、反射型光変調装置４４２及び偏光板４４４を支持し、各部材４４１，４４２，４４４をクロスダイクロイックプリズム４４３の対応する光束入射面４４３１に対して固定する。
【００２４】
保持部材本体５１は、内部に光束が通過する空洞５１Ａを有する中空部材である。
枠部５２は、保持部材本体５１の開口側端面が外方に向けて広がっている部分である。この枠部５２は、保持面５２１と、突条部５２２とを備える。
保持面５２１は、枠部５２の端面に形成され、ワイヤグリッド４４１を保持する面である。また、図３に示した保持面５２１上の調整部材７の取付位置（保持面５２１の四隅及び保持面５２１の各辺の略中央部分）のうち少なくともいずれかが、ワイヤグリッド４４１の歪み状況を勘案して選択される。調整部材７は、選択された取付位置（任意の位置）に取り付けられる。なお、この取付位置は、図３に示した８箇所に限定されず、ワイヤグリッド４４１の歪みに応じて、適宜、他の位置に調整部材７を取り付けてもよい。
突条部５２２は、図２に示すように、枠部５２の外周に沿って形成され、保持部材本体５１の外周面よりも外方に突出している。この突条部５２２には、後述する固定部材６が当接する。
【００２５】
［固定部材の構造］
固定部材６は、クリップ状のものであり、図３に示すように、保持部材５の上下に取り付けられる。この固定部材６は、対向する一対の把持部６１，６２と、これら把持部６１，６２の一方の端部間を接続する接続部６３とを備えた側面視略Ｕ字状に形成される。一方の把持部６１が突条部５２２に当接して、他方の把持部６２がワイヤグリッド４４１の表面を押圧することで、固定部材６は、突条部５２２とワイヤグリッド４４１とを併せて挟持する。ここで、挟持する際に生じるワイヤグリッド４４１の歪みを防止するために、保持面５２１とワイヤグリッド４４１との間の任意の位置には、調整部材７が介装される。
【００２６】
［調整部材の構造］
図４は、本実施形態に係る調整部材７を示す斜視図であり、図４（Ａ）は、本実施形態で用いられる調整部材７を示している。
調整部材７は、図４（Ａ）に示すように、板金加工されて、矩形板状に形成される。この調整部材の厚みは、ワイヤグリッド４４１の歪み状況に応じて、所望の厚さに決定される。調整部材７が、ワイヤグリッド４４１と保持面５２１との間に介装されることで、ワイヤグリッド４４１の歪みが補正される。なお、調整部材７は、本実施形態では、矩形板状に形成されたが、図４（Ｂ）、（Ｃ）及び（Ｄ）に示すように、Ｌ字板状、三角板状、楔形状に形成されたものであってもよい。例えば、保持面５２１の四隅に介装する調整部材として、図４（Ｂ）及び（Ｃ）に示した調整部材７を用いれば、保持面５２１の四隅とワイヤグリッド４４１の四隅とが、ずれることなく保持される。
【００２７】
これらの構成によれば、固定部材６は、突条部５２２とワイヤグリッド４４１とを併せて挟持した状態で、可撓性を有するワイヤグリッド４４１に歪みが生じ、画像光が適切に合成されていない場合には、適切な厚さの調整部材７がワイヤグリッド４４１と保持面５２１との間の任意の位置に介装される。
【００２８】
上述した第１実施形態によれば、以下の効果がある。
調整部材７が、ワイヤグリッド４４１と保持面５２１との間の任意の位置に介装される。すなわち、ワイヤグリッド４４１に歪みが生じた箇所に調整部材７を介装して、保持面５２１からワイヤグリッド４４１を離間させることで、ワイヤグリッド４４１の平坦度を向上でき、ワイヤグリッド４４１が保持面５２１の歪みの影響を受けることを抑制できる。すなわち、剛性のあるガラスにワイヤグリッド４４１を保持させる必要がなく、可撓性を有するワイヤグリッド４４１を用いて投射画像の歪みの発生を抑制でき、光学装置及びプロジェクタの軽量化、かつ低コスト化を図ることができる。
【００２９】
〔第２実施形態〕
図５は、本発明の第２実施形態に係る保持部材５にてワイヤグリッド４４１が保持される状態を示す分解斜視図である。図の説明にあたって、前記実施形態と同一構成要素については、同一符号を付し、その説明を省略する。
第２実施形態では、前記第１実施形態での枠部５２の内周部分に複数の突起部５２３が保持面５２１に対して交差する方向に延出して形成される。
より具体的に、突起部５２３は、矩形板状に形成されて、空洞５１Ａの上部及び下部から保持面５２１に対して交差する方向に調整部材７の厚みと同じ長さ分、延出される。そして、突起部５２３は、ワイヤグリッド４４１に当接している。ワイヤグリッド４４１と保持面５２１との間には、空間Ｓが形成される。この空間Ｓ内に、調整部材７が介装される。なお、調整部材７の材質については、空間Ｓ内に介装できる弾力性を有するものであってもよい。
【００３０】
上述した第２実施形態によれば、空洞５１Ａの上部及び下部には、突起部５２３が設けられ、この突起部５２３にワイヤグリッド４４１が当接して、空間Ｓが形成される。従って、ワイヤグリッド４４１の歪み状況に応じた厚みを有する調整部材７を空間Ｓ内に容易に挿入でき、調整部材７により、ワイヤグリッド４４１の歪みを補正できる。
【００３１】
〔第３実施形態〕
図６は、本発明の第３実施形態に係る調整部材７を示す図であり、図７は、本実施形態でのワイヤグリッド４４１が保持部材５に保持される状態を示す側面図である。図７では、図６（Ａ）〜（Ｃ）のうちの図６（Ａ）の調整部材７が採用されている。図の説明にあたって、前記実施形態と同一構成要素については、同一符号を付し、その説明を省略する。
前記第１実施形態では、ワイヤグリッド４４１が保持面５２１に保持された後に、ワイヤグリッド４４１の歪み状況に応じて、調整部材７をワイヤグリッド４４１と保持面５２１との間に介装していた。しかし、第３実施形態では、図７に示すように、断面楔状に形成された先端部７１を有する調整部材７が、予め保持面５２１とワイヤグリッド４４１との間に介装される。
楔状に形成された調整部材７は、後述する軸部材としてのピン８を介して保持面５２１に回動自在に軸支される。そして、図６に示すように、固定部材６は、ワイヤグリッド４４１及び突条部５２２を挟持して、ワイヤグリッド４４１を保持部材５に固定する。
【００３２】
本実施形態での調整部材７は、図６（Ａ）に示すように、正面視略円板状に形成され、略中心部分に挿通孔７２が形成される。挿通孔７２には、調整部材７を回動させるピン８が挿通される。なお、本実施形態の調整部材７として、図６（Ａ）に示す正面視略円形状の調整部材７を採用したが、これに限らず、図６（Ｂ）、（Ｃ）に示すように、図６（Ａ）とは異なる形状に形成してもよい。具体的に、図６（Ｂ）では、調整部材７は、正面視略矩形板状に形成され、図６（Ｃ）では、正面視略三角形板状に形成される。
【００３３】
上述した第３実施形態によれば、ワイヤグリッド４４１を保持面５２１との間に回動自在に構成される調整部材７を予め介装し、前記各実施形態と同様に、ワイヤグリッド４４１及び突条部５２２を、固定部材６で挟持する。そして、ワイヤグリッド４４１の歪み状況に応じて、ピン８を工具等（図示略）で回動させると、調整部材７がピン８を中心として、回動する。これにより、図７中の二点鎖線に示すように、調整部材７の先端部７１は、ワイヤグリッド４４１の歪み状況に応じて、ワイヤグリッド４４１と保持面５２１との間隔を広げ、ワイヤグリッド４４１が保持面５２１の歪みの影響を受けることを抑制でき、調整部材７により、ワイヤグリッド４４１の歪みを補正できる。
【００３４】
〔実施形態の変形〕
なお、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想及び目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００３５】
例えば、前記各実施形態では、反射型光変調装置４４２を３つ備える三板式のプロジェクタで構成したが、これに限定されず、反射型光変調装置４４２を２つ備えるプロジェクタや、反射型光変調装置４４２を４つ以上備えるプロジェクタとして構成してもよい。この際、プロジェクタは、ワイヤグリッド４４１も反射型光変調装置４４２と同様の個数分、備えることとなる。
前記各実施形態では、固定部材６は、単にクリップ状のものを採用していたが、これに限定されず、バネを用いたクリップ等を採用してもよい。
【００３６】
また、前記各実施形態では、ワイヤグリッド４４１は、固定部材６により保持部材５に固定されていたが、これに限定されず、接着剤を用いて固定してもよい。
前記各実施形態では、固定部材６は、ワイヤグリッド４４１の上辺及び下辺を把持するように固定していたが、ワイヤグリッド４４１の歪み状況に応じて、右辺及び左辺を把持して固定してもよい。
【００３７】
前記第２実施形態では、突起部５２３を空洞５１Ａの上部及び下部に形成したが、これに限定されず、空洞５１Ａの右部及び左部に形成してもよく、これらの組み合わせ等もワイヤグリッド４４１の歪み状況に応じて自由に選択してもよい。
前記第２実施形態では、突起部５２３は、保持面５２１と交差する方向に調整部材７の厚みと略同じ長さ分、延出していたが、延出する長さはこれに限定されない。具体的には、調整部材７の厚みよりも薄く延出してもよく、この場合には、弾力性のある調整部材を介装することで、ワイヤグリッド４４１の歪みを補正できる。
【００３８】
前記各実施形態では、反射型光変調装置４４２を採用したが、これに限定されず、透過型の光変調装置やデジタルマイクロミラーデバイス（ＤＭＤ)等を採用してもよい。なお、ＤＭＤは米国テキサスインスツルメンツ社の商標である。
【産業上の利用可能性】
【００３９】
本発明は、画像光を適切に合成できるため、光学装置に利用できる。
【図面の簡単な説明】
【００４０】
【図１】本発明に係るプロジェクタの構成を模式的に示す図。
【図２】本発明の第１実施形態に係るワイヤグリッド及び保持部材の斜視図。
【図３】前記第１実施形態に係るワイヤグリッドが保持部材に取り付けられている状態を示す図。
【図４】前記第１実施形態に係る調整部材を示す斜視図。
【図５】本発明の第２実施形態に係るワイヤグリッドが保持部材に取り付けられている状態を示す分解斜視図。
【図６】本発明の第３実施形態に係る調整部材を示す図。
【図７】前記第３実施形態に係るワイヤグリッドが保持部材に取り付けられている状態を示す側面図。
【符号の説明】
【００４１】
１…プロジェクタ、３…投射レンズ（投射光学装置）、５…保持部材、６…固定部材、７…調整部材、８…ピン（軸部材）、４１…光源装置、４３…色分離光学装置、４４…光学装置、７１…先端部、４４１…ワイヤグリッド（反射部材）、４４２…反射型光変調装置（光変調装置）、４４３…クロスダイクロイックプリズム（色合成光学装置）、５２１…保持面、５２３…突起部、Ｓ…空間。
【図１】
2010072539.tif 000003
【図２】
2010072539.tif 000004
【図３】
2010072539.tif 000005
【図４】
2010072539.tif 000006
【図５】
2010072539.tif 000007
【図６】
2010072539.tif 000008
【図７】
2010072539.tif 000009